(57)【要約】  本発明は、自動車のための流体リターダ（９）に関する。この流体リターダ（９）は、ロータとステータとを有し、変速機と共に共通油供給部（２３）を形成し、この共通油供給部（２３）は、油槽（１２）と変速機油溜め（１５）とから成り、オーバーフローエッジ（１６）を有している。制御・調整ユニット（１７）が、弁（８、８ａ、８ｂ、８ｃ、１１）およびセンサ（２０、２１、２２）に接続されている。リターダ（９）を制御するために、液圧回路（５）は、ポンプ（１）と熱交換器（２）と弁（４）とを有し、当該ポンプ（１）の体積流量は、車速やドライブシャフト回転数やリターダ回転数と無関係に調整できる。前記ポンプ（１）によって、油の循環が保証される。油槽（１２）は、充填弁（１０）を介して、ポンプ（１）の吸込み路（１３）に接続できる。油供給部（２３）への還流路（２４）内の体積流量は、弁（８、８ａ、８ｂ）によって、制御可能ないし調節可能である。リターダ（９）の不制動の段階（過程）の間、変速機の温度調節とリターダの温度調節との間で選択がなされ得る、あるいは、油供給部（２３）の温度調節が停止（遮断）され得る。
2009541128.tif 000002
【特許請求の範囲】
【請求項１】
ロータとステータとを有し、
変速機と共に共通油供給部（２３）を形成し、
電気液圧式システム（１８）を介して制御可能であり、
制御及び調整ユニット（１７）と液圧回路（５）とを更に有し、当該液圧回路（５）がポンプ（１）と熱交換器（２）と弁（４）とを有し、当該ポンプ（１）の体積流量が車速ないしドライブシャフト回転数ないしリターダ回転数と無関係に調整可能であり、
前記ポンプ（１）によって、油の循環が保証される、
という自動車のための流体リターダ（９）であって、
前記共通油供給部（２３）は、油槽（１２）と変速機油溜め（１５）とから成り、
前記油槽（１２）は、充填弁（１０）を介して、前記ポンプ（１）の吸込み路（１３）に接続可能であり、
前記電気液圧式システム（１８）内には、弁（８、８ａ、８ｂ）が配置されており、
当該弁によって、前記油供給部（２３）への還流路（２４）内の体積流量が、制御可能ないし調節可能であり、
当該リターダ（９）の不制動の段階（過程）の間、変速機の温度調節ないしリターダの温度調節が選択可能であるか、あるいは、油供給部（２３）の温度調節が停止（遮断）可能である
ことを特徴とする流体リターダ（９）。
【請求項２】
前記充填弁（１０）は、２ポート２位置（２／２）方向制御弁として形成されている
ことを特徴とする請求項１に記載の流体リターダ（９）。
【請求項３】
前記充填弁（１０）は、３ポート２位置（３／２）方向制御弁として形成されている
ことを特徴とする請求項１に記載の流体リターダ（９）。
【請求項４】
前記充填弁（１０）は、前記電気液圧式システム（１８）内の既存の切換弁（１１）、例えば比例弁、を介して、液圧式に制御可能である
ことを特徴とする請求項１乃至３のいずれかに記載の流体リターダ（９）。
【請求項５】
前記充填弁（１０）は、独自に開放する逆止弁として形成されている
ことを特徴とする請求項１に記載の流体リターダ（９）。
【請求項６】
前記共通油供給部（２３）は、油槽（１２）と変速機油溜め（１５）との間に、オーバーフローエッジ（１６）を有している
ことを特徴とする請求項１に記載の流体リターダ（９）。
【請求項７】
前記弁（８）は、５ポート２位置（５／２）方向制御弁として形成されている
ことを特徴とする請求項１に記載の流体リターダ（９）。
【請求項８】
前記弁（８ａ）は、５ポート３位置（５／３）方向制御弁として形成されており、電磁石（２９）とピストン（３０）とを有している
ことを特徴とする請求項１に記載の流体リターダ（９）。
【請求項９】
前記弁（８ａ）は、バネ（３１）を有しており、
当該バネは、前記ピストン（３０）の全体の調整ストロークに作用する
ことを特徴とする請求項８に記載の流体リターダ（９）。
【請求項１０】
前記弁（８ａ）は、第２バネ（３２）とバルブディスク（３３）とを有しており、これによって当該弁（８ａ）は中央位置に位置決め可能である
ことを特徴とする請求項８または９に記載の流体リターダ（９）。
【請求項１１】
前記バルブディスク（３３）と前記第２バネ（３２）とは、前記弁（８ａ）の前記ピストン（３０）と緩まないように（verliersicher）結合されている
ことを特徴とする請求項８乃至１０のいずれかに記載の流体リターダ（９）。
【請求項１２】
前記弁（８）は、２ポート２位置（２／２）方向制御弁として形成されている
ことを特徴とする請求項１に記載の流体リターダ（９）。
【請求項１３】
前記油供給部（２３）への還流路（２４）内の体積流量は、前記弁（８、８ａ、８ｂ）によって、部分的または完全に遮断可能である
ことを特徴とする請求項１乃至１２のいずれかに記載の流体リターダ（９）。
【請求項１４】
前記弁（８ａ、８ｂ）によって実現される「温度調節ＯＦＦ（ＡＵＳ）」の機能は、既存の弁（８）の中に一体化可能である
ことを特徴とする請求項１乃至１３のいずれかに記載の流体リターダ（９）。
【請求項１５】
前記電気液圧式システム（１８）内に配置された弁（８、８ａ、８ｂ、８ｃ、１０、１１）は、前記制御及び調整ユニット（１７）を介して、制御可能である
ことを特徴とする請求項１乃至１４のいずれかに記載の流体リターダ（９）。
【請求項１６】
前記電気液圧式システム（１８）内に配置された弁（８、８ａ、８ｂ、８ｃ、１０、１１）は、別個のユニットを介して、制御可能である
ことを特徴とする請求項１乃至１５のいずれかに記載の流体リターダ（９）。
【請求項１７】
前記電気液圧式システム（１８）内に配置された弁（８、８ａ、８ｂ、８ｃ、１０、１１）は、電気式、電磁式、空気圧式ないし液圧式に、あるいはサーボモータを介して、制御可能である
ことを特徴とする請求項１乃至１６のいずれかに記載の流体リターダ（９）。
【請求項１８】
前記電気液圧式システム（１８）内に配置された弁（４、８、８ａ、８ｂ、８ｃ、１０、１１）は、公知のあらゆる弁形態を採用可能である
ことを特徴とする請求項１乃至１７のいずれかに記載の流体リターダ（９）。
【請求項１９】
電気液圧式システム（１８）を介して制御され、ポンプ（１）の体積流量が車速ないしドライブシャフト回転数ないしリターダ回転数と無関係に調整できる、という自動車のための流体リターダ（９）の制御方法であって、
油槽（１２）が、充填弁（１０）を介して、前記ポンプ（１）の吸込み路（１３）に接続されており、
油供給部（２３）への還流路（２４）内の体積流量が、弁（８、８ａ、８ｂ）によって制御ないし調節され、
当該リターダ（９）の不制動の段階（過程）の間、変速機の温度調節とリターダの温度調節との間で選択がなされ得る、あるいは、油供給部（２３）の温度調節が停止（遮断）され得る
ことを特徴とする方法。
【請求項２０】
変速機の温度調節の際、前記充填弁（１０）及び前記切換弁（８）は、作動されない
ことを特徴とする請求項１９に記載の方法。
【請求項２１】
リターダの温度調節の際、前記充填弁（１０）は作動されて、前記切換弁（８）は作動されない
ことを特徴とする請求項１９に記載の方法。
【請求項２２】
前記油供給部（２３）の温度調節の停止の際、前記切換弁（８ａ）は、中間位置にあって還流路（２４）内の体積流量を遮断する、というように制御される
ことを特徴とする請求項１９に記載の方法。
【請求項２３】
前記油供給部（２３）の温度調節の停止の際、前記切換弁（８ｂ）は、還流路(２４)内の体積流量を遮断する、というように制御される
ことを特徴とする請求項１９に記載の方法。
【発明の詳細な説明】
【技術分野】
【０００１】
本発明は、特許請求の範囲の請求項１の上位概念部分に詳しく規定された類の、自動車のための流体リターダに関する。
【背景技術】
【０００２】
通常の場合は摩耗を生ずる摩擦ブレーキである自動車、特には商用車、の常用ブレーキのほかに、補助的な非摩耗式の減速装置が、自動車製造業者によって提供されている。かかる減速装置、例えばリターダまたはエンジンブレーキは、とりわけ、坂路において車速を一定に保つために利用され得る。
【０００３】
リターダとしては、変速機またはエンジンに追加的に配置された、流体式、静液圧式あるいは電気力学式の制動装置、並びに、変速機ハウジングの内部に「インターダ（Intarder）」の形態で設けられているシステム、などが属する。更には、リターダは、エンジン回転数に依存して作動する一次リターダと、車速に依存して作動する二次リターダと、に区別される。流体リターダの場合、一般に、自動車を制動するためのロータが、変速機軸に直結されている。それは、一次リターダにおいては、駆動軸ないし変速機入力軸であり、二次リターダにおいては、変速機出力軸である。ステータは、一般に、ハウジングに固く結合されている。リターダは、通常、ロータとステータとが液体で充填されていないときには、作動されない。
【０００４】
リターダは、商用車の場合、とりわけ、例えば大きな車速からの制動時に生ずる運動制動エネルギを吸収して、熱に変換するために採用されるが、例えば長く続く下り坂走行の際に要求される連続制動出力に対しても、良好に適用される。
【０００５】
流体リターダの場合、液体の流れエネルギが制動のために利用される。ここで、その物理的な作用原理は、固定タービンを有する流体クラッチの作用原理に相当している。それに応じて、流体リターダは、動力伝達経路（パワーフロー）に存在するロータと、リターダハウジングに固く結合されたステータと、を有している。リターダの作動中には、所望の制動出力に相応した油量が、ベーンポケットに導入される。ここで、回転するロータがステータで支えられた油を運び去り、これによって、ロータ軸において制動作用が発生される。
【０００６】
従来技術に属する共通の油供給部を有するリターダの場合、制動されていない段階（過程）中、すなわち、牽引運転の間、油（オイル）は、ポンプによって、変速機油溜め（ギヤオイルパン）から吸引され、フィルタと熱交換器とを通って導かれる。熱交換器の接続ポート内にある圧力制限弁は、既存の弁を切り替えるため、従って、リターダを起動（投入）するために、十分な液圧が使用できるように、システム圧力を制御する。この構造配置によって、変速機油（ギヤオイル）は、制動されていない段階（過程）中、ほぼ車両冷却システムの温度にもたらされ得る。これによって、変速機は、負荷が高い時及び／または周囲温度が高い時、冷却され得て、負荷が低い時及び／または周囲温度が低い時、加熱され得る。リターダの制動運転中では、制動エネルギーは、熱交換器を介して、車両冷却システムに放出される。
【０００７】
この場合、変速機の温度調節がリターダの運転状況（制動または非制動）に直接関係しているので、変速機の温度調節の独立の停止（遮断）が不可能である、ということが欠点である。例えば、リターダの運転と変速機の冷却とは、デジタル式に区別され得る。リターダの停止（遮断）時、油は直接に変速機油溜めから熱交換器を通して導かれて、互いの温度がどのような状況であるかに依存して、冷却あるいは加熱される。さらに、加熱された油は、リターダ回路から、冷却戻しされることなく、変速機油溜めに導かれる。同様に、インナーギヤポンプ（定量ポンプ）を使用することにより、冷却油の体積流量は変えることができないように構成され得るが、この場合、大半の運転状態では、過剰な油が循環されてしまう。これはまた、高い（悪い）燃料消費につながり、欠点である。
【０００８】
ＤＥ１０１４１７９４Ａ１には、液圧回路を介して制御される自動車のための流体リターダが開示されている。当該液圧回路は、熱交換器と液圧ポンプとを有しており、当該液圧ポンプの搬送容量は、体積流量が車速ないしドライブシャフト回転数またはリターダ回転数に依存しないで調整できるというように、調整可能である。ある実施の形態によれば、液圧ポンプは、リターダの充填および調整にとって十分であるような一定した体積流量が、広い回転数領域にわたって生ずるというように、切換ないし調整される。この構想は、充填アキュムレータが不要である、という利点を有する。更に、液圧ポンプの再応答時間が、最初の応答時間（初期応答時間）と同じである。これにより、確固不動の（robust）時間的特性が生ずる。制動が開始される時、リターダは、できるだけ速く充填されねばならない。このために、液圧ポンプを最大の容積量（Verdraengung）に調整する制御圧力が、比例弁を介して発生される。
【０００９】
この場合もまた、変速機の温度調節の独立の停止ができない、という前記欠点が生じる。なぜなら、変速機の温度調節が、リターダの運転状況に直接関係しているからである。牽引運転では、リターダの冷却のみが必要であるのか、あるいは、基本変速機がさらに温度調節されるべきなのか、ないしは、車両冷却装置への温度上の接続が一切行われるべきでないのか、区別することができない。
【００１０】
低い（良い）燃料消費を達成するために、自動車メーカーは、車両冷却システムの冷却媒体の温度を高めることを試みている。しかしながら、冷却媒体の温度が理想的な変速機油溜めの温度より高い場合、従来技術では、変速機の温度調節によって、不必要に高い温度レベルが基本変速機内に生じる。このことは、寿命の短縮、及び／または、油交換間隔を狭めること、につながり得る。一方、油温が低すぎると、牽引ロス（スリップロス）が大きくなり、これによって効率が悪化して燃料消費量が上昇してしまう。
【発明の開示】
【００１１】
本発明の課題は、リターダの運転状況に依存しないような変速機の温度調節ないしリターダの温度調節を実現して、最新技術の欠点を解消すること、である。変速機ないしリターダの油温は、理想的な範囲に調整可能であるべきである。
【００１２】
本発明の課題は、特許請求の範囲の主たる請求項の特徴を有する流体リターダによって解決される。
【００１３】
本発明は、自動車の変速機のための、ロータとステータとを有する流体リターダに関する。このリターダは、電気液圧式システムを介して制御される。当該電気液圧式システムは、とりわけ、制御及び調整ユニットと、液圧回路と、（複数の）切換弁と、変速機とリターダとの間の共通油供給部と、を有している。ロータとステータとは、好適には、液圧回路に接続されたリターダハウジング内に配置されている。当該液圧回路は、フィルタと、液圧ポンプと、熱交換器と、切換弁と、液圧路と、を有している。液圧ポンプの搬送（供給）容量は、体積流量が車速ないしドライブシャフト回転数ないしリターダ回転数と無関係に調整できる、というように調整可能である。
【００１４】
当該電気液圧式システムは、様々な周辺条件に依存して、変速機の温度調節ないしリターダの温度調節を制御ないし調節可能である、というように形成されている。この電気液圧式システム内にある弁の制御は、好ましくは、制御及び調整装置（ＥＣＵ）、リターダ電子装置、変速機電子装置、または、自動車ガイドコンピュータを介して、あるいは任意の他の制御装置を介して、電気的ないしは電磁的に行うことができる。また、当該弁は、空圧式または液圧式に、あるいは、サーボモータ（アクチュエータ）を介して制御可能である、というように形成されることも考えられ得る。このような弁は、公知のあらゆる弁構造形態で形成され得る。
【００１５】
リターダを制御ないし調節するための、本発明に従う電気液圧式システムによって、変速機の温度調節（変速機油溜めからの油が車両冷却システムの温度に適合される）とリターダの温度調節(リターダ油溜め／油リザーバからの油が車両冷却システムの温度に適合される)との間で選択がなされ得る。さらに、当該電気液圧式システムは、何ら温度調節を行わない、すなわち、変速機の温度調節もリターダの温度調節も行われない、というようにも制御され得る。
【００１６】
温度調節の停止（遮断）は、いろいろな理由から、有意義であり得る。変速機の油温もリターダの油温も、最適な温度領域にある時には、何らの温度調節も必要ない。車両冷却システムの温度が変速機ないしリターダの最適な油温を超えている場合には、温度調節は有害に作用するかもしれない。変速機内の温度レベルが不必要に高いと、変速機の様々な構成要素の寿命が短くなり得るし、より短い油交換間隔が必要となり得る。さらに、車両冷却システムが所定の温度性能限界で作動している時、温度調節を停止することは有意義である。この温度調節の停止によって、油供給部から車両冷却システムへのさらなる熱の供給は行われない。変速機の温度調節ないしリターダの温度調節を所定の運転状況において停止するという可能性によって、この期間中の液圧ポンプの出力要求は低減され、それによって車両の燃料消費も低下される。
【発明を実施するための最良の形態】
【００１７】
以下、図面を参照しながら、種々の実施の形態を許容する本発明の原理が、例示的に詳細に説明される。
【００１８】
図１は、制動中の流体リターダの制御系統図である。
【００１９】
図２は、変速機の温度調節中の流体リターダの制御系統図。
【００２０】
図３は、リターダの温度調節中の流体リターダの制御系統図。
【００２１】
図４は、第２の実施の形態についての、図３に従う制御系統図の部分図。
【００２２】
図５は、何ら温度調節が実施されていない時の、流体リターダの制御系統図。
【００２３】
図６は、何ら温度調節が実施されていない時の、第２の実施の形態の流体リターダの制御系統図。
【００２４】
図７は、２つの切換ポジションを有する切換弁の公知の構造例を示す図。
【００２５】
図８は、３つの切換ポジションを有する本発明に従う切換弁の構造例を示す図。
【００２６】
図１において、流体リターダ９を制御するための電気液圧式（制御）システム１８は、制御及び調整ユニット１７と、液圧回路５と、弁４、８、１０、１１と、共通油供給部２３と、を有している。液圧回路５は、液圧ポンプ１と、フィルタ１９と、熱交換器２と、切換弁４と、を有しており、リターダ９に接続されている。環流路２４内に、絞り（Ｂｌｅｎｄｅ）６が配置されている。さらに、制御及び調整ユニット１７は、温度センサ２０、２１及び圧力センサ２２に接続されている。第１の温度センサ２０を介して、油温が検出される。第２の温度センサ２１を介して、車両冷却システム３の温度が検出される。圧力センサ２２は、リターダ９の調整圧力を監視するために、利用され得る。制御及び調整ユニット１７は、有利な態様で、コントローラ領域ネットワーク（ＣＡＮ）２５に接続され得る。制御及び調整ユニット１７を介して、とりわけ、弁８、１１が制御可能である。第１の弁８は、安全遮断弁として利用され得る。第２の弁１１は、好適には比例弁として形成されて、液圧ポンプ１及び充填弁１０を制御ないし調整するために利用され得る。共通油供給部２３は、リターダ９の油槽１２と変速機の油溜め１５とから成っている。電気液圧式システム１８において、液圧ポンプ１は容積可変型ポンプとして形成される、ということが考慮される。例えば、ベーンポンプとして、往復移動要素ポンプとして、あるいは、ピストンポンプとして、形成され得る。当該ポンプは、当該液圧ポンプ１の帰還面７における圧力によって、必要な体積流量を、ポンプ回転数に依存しないで独自に調整可能である。液圧ポンプ１と油槽１２ないし変速機油溜め１５との間における吸込み路１３に、フィルタ１９が配置されている。
【００２７】
電気液圧式システム１８内には、切換弁８が設けられている。切換弁８のピストンの調整ストローク（調整行程）は、電磁石によって生成され得る。当該電磁石の対応する制御（作動）により、ピストンに作用する力が生成される。これによって、当該ピストンは、それに対応するように移動される。これによって、液圧回路５内の切換弁４が作動され、それに伴ってリターダ９が稼働（起動）ないし停止（遮断）される。切換弁８は、例えば、制御及び調整ユニット１７を介して制御され得る。制動が開始されるとき、リターダ９はできるだけ速く充填されねばならない。このために、比例弁１１を介して、液圧ポンプ１を最大の容積（容積量）に調整するような制御圧力が生成される。要求される制御システムの応答時間を保証するためには、より大きな油体積流が必要である。
【００２８】
比較的長い変速機吸込み路１４にもかかわらず、その油体積流を確実に保証するべく、流体リターダ９を制御するための電気液圧式システム１８は、充填弁１０を備えている。当該充填弁１０によって、油槽１２と液圧ポンプ１の吸込み路１３との間の接続が形成され得る。油槽１２は、好適には、リターダ９の近くに配置されている。これによって、リターダ９が十分に短い時間で補助的に（追加的に）当該油槽１２から充填され得ることが、保証される。従って、もはや、全油量が変速機吸込み路１４を介して吸い込まれる必要はない。充填弁１０は、２ポート２位置（２／２）方向制御弁として形成されており、それは、対応する制御によって、油槽１２を液圧ポンプ１の吸込み路１３に接続する。充填弁１０は、もちろん、様々な実施形態に形成され得る。例えば、逆止弁や、３ポート２位置（３／２）方向制御弁としても形成され得る。電気液圧式システム１８で生ずる漏れは、液圧ポンプ１によって補償され得る。有利には、当該漏れ、及び、リターダ９の解除後に自由となった油体積流は、油槽１２に戻される。これによって、リターダ９の解除後に直ちに、次の制動にとって十分な油が用意される。これによって、システム１８の再応答時間は、最初の応答時間と同じになる。当該油槽１２は、変速機油溜め１５へのオーバーフローエッジ１６を有している。油槽１２における油位（油レベル）が所定の充填レベルに達した時にはじめて、すなわち、油槽１２が完全に充填された時にはじめて、余分の油が変速機油溜め１５に送られる。このようにして、極端な下り坂走行中においても、リターダ９の近くに十分な量の油が蓄えられる。制動が開始されるとき、弁８、１１は、制御及び調整ユニット１７によって作動される。図１では、弁８、１１は、作動状態で表示されている。弁１１により、液圧ポンプ１は、好ましいことに最大容積に調整されて、充填弁１０を作動させる。作動する弁８によって、弁４が作動され、それによって液圧回路５が閉じられる。従って、より多い油の体積流量が油槽１２から液圧回路５に、そしてリターダ９に、誘導される。リターダ９の制動作用の大きさは、液圧ポンプ１のポンプ圧力を介して調整される。当該ポンプ圧力は、切換弁１１を介して変更可能である。
【００２９】
図２は、図１で説明した電気液圧式システム１８であるが、変速機の温度調節が行われている際を示している。この変速機の温度調節の状態が、電気液圧式システム１８の基本状態である。変速機の温度調節（状態）は、走行運転中の大部分を占めるので、当該運転状態は、好ましくは、電気的制御なしに独自に（自立的に）生じる。当該運転状態においては、変速機内で発生する熱が、車両冷却システム３に放出され、変速機油の温度は、車両冷却システム３の温度に適合され得る（冷却または加熱され得る）。液圧回路５には、切換弁４と絞り６とが配置されており、これらは、液圧路と関連して相応の圧力降下を生じる。当該圧力は、液圧ポンプ１において帰還面７に作用する。これによって、液圧ポンプ１は、必要な体積流量を、ポンプ回転数とは無関係に独立に調整できる。絞り６は、規定された液圧路横断面を有していて、還流路２４内に配置されている。充填弁１０は、非作動状態にある。不制動の段階（過程）中に、液圧ポンプ１は、変速機油溜め１５から油を吸い込む。この油が、熱交換器２を通して油槽１２へと導かれる。これによって、変速機の油温が、車両冷却システム３における車両冷却媒体の温度に適合される。
【００３０】
図３は、図１で説明した電気液圧式システム１８であるが、リターダの温度調節が行われている際を示している。このリターダの温度調節の状態は、油槽１２を変速機とは独立に冷却ないし加熱することが有意義であるとき常に、投入（導入）され得る。このために、比例弁１１は、充填弁１０が油槽１２と液圧ポンプ１の吸込み路１３とを接続する、というように作動される。これは、油槽１２とリターダ９とが基本変速機及び／または車両冷却システム３よりも顕著に高い温度を有するような制動過程の直後に、行われ得る。リターダの温度調節は、次の制動の際に可能な限り高いエネルギーバッファすなわち可能な限り大きい制動性能を車両制動システムに提供することができるよう、油槽１２とリターダ構成部品との高速の再冷却を可能にする。これによって、制動システムの効率及び利用可能性が顕著に改善され得る。
【００３１】
比例弁１１によってポンプ圧力を上げることによって、液圧ポンプ１の冷却油体積流量が高められ、それによって冷却作用が高められる。このことは、油槽１２とリターダ９との再冷却時間の短縮を可能にする。充填弁１０は、２ポート２位置（２／２）切換弁として具現されている。これは、電気液圧式システム１８の構造空間内に容易に一体化され得て、場合によって発生する漏れを電気液圧式システム１８内で補償するための変速機油溜め１５からの最小の吸引を保証する。
【００３２】
比例弁１１の対応する制御によって、リターダ９の不制動の段階（過程）中に、充填弁１０が制御されて、それによって液圧ポンプ１の吸引ポジション（吸引状態）が、変速機油溜め１５（変速機の温度調節）と油槽１２（リターダの温度調節）との間で切り替えられる。
【００３３】
図４は、図３の部分的な抜粋を示している。ここでは、充填弁１０は、３ポート２位置（３／２）切換弁として形成されている。この実施の形態は、リターダの温度調節の間の、リターダ９と変速機との間の明確な分離の利点を有している。充填弁１０の作動により、油槽１２からの油だけが吸引されて冷却され得る。
【００３４】
図５は、本発明の別の実施の形態を示している。図２で説明された実施の形態との唯一の相違点は、切換弁８が３−ポジション弁８ａとして形成されていること、すなわち、３つの切換位置を有する弁に拡大されたこと、である。切換弁８ａの追加された中央位置によって、還流路２４が閉じられ得る。これによって、牽引運転中の温度調節、すなわち、リターダ９の不制動の間の温度調節が、一般には停止される、ないし、漏れを補うための最小送油量に低減される。このとき、液圧ポンプ１は、体積流量を自立的に「ゼロ」ないし最小送油量に再調整する。これは、車両冷却システム３の温度が変速機の温度調節及び／またはリターダの温度調節にとって有利でないと考えられるとき、常に必要であり得る。この運転状態では、液圧ポンプ１は、最小の駆動出力で運転され得る。これによって、燃料消費量の低減が達成され得る。３つの切換ポジションを持つ切換弁８ａに拡張される既存の切換弁８（図２を参照）の使用によって、ここではコスト的に有利に、且つ、追加費用なしに、「温度調節ＯＦＦ」の機能が実現され得る。切換弁８ａは、５／３方向制御弁として形成されており、その中央ポジションに位置している。
【００３５】
図５で説明された「温度調節ＯＦＦ」の機能は、図６に示された実施の形態によっても実現され得る。ここでは、電気液圧式システム１８は、切換弁８ｃを有しており、当該弁は３／２方向制御弁として形成されており、切換弁４を制御するように機能する。還流路２４内の冷却油体積流の遮断は、追加の切換弁８ｂを介して実現される。当該弁は還流路２４内に配置されている。当該切換弁８ｂは、２／２方向制御弁として形成され得て、制御及び調整ユニット１７によって制御され得る。
【００３６】
図７は、切換弁８の公知の設計上の一実施の形態を示している。当該弁は５／２方向制御弁として形成されており、従って２つの切換ポジションを有している。当該切換弁８は、電磁石２６と、ピストン２７と、リターンバネ２８と、から構成されている。示された接続部Ｐ／Ａ／Ｔを介して、リターダ９が稼働（起動）ないし停止（遮断）され得る。当該実施の形態は、従来技術から知られているので、ここではこれ以上詳述されない。
【００３７】
図８は、５／３方向制御弁として形成されていて３つの切換ポジションを有する、本発明に従う液圧切換弁８ａの一実施の形態を例示的に示している。当該切換弁８ａは、電磁石２９と、ピストン３０と、ダブルバネ装置３１、３２と、バルブディスク３３と、から構成されている。ピストン３０の調整ストロ−クは、電磁石２９によって生成される。当該電磁石２９の対応する制御（作動）により、ピストン３０に作用する力が生成される。これによって、当該ピストン３０は、それに対応するように移動される。外側バネ３１は、ピストン３０の全調整ストロークにわたって作用する。第２バネ３２には、バルブディスク３３によって、切換弁８ａの中間ポジションへのピストン３０の予め規定された調整ストロークの後に初めて電磁石２９によって生成された力とは逆方向の力が生じるというように、予め張力が与えられている。この構造によって、切換弁８ａの中間ポジションは、確実に機能すると共に、高い位置精度で動作することができる。バルブディスク３３と第２バネ３２とは、ここでは緩まないように（verliersicher ）ピストン３０上に配置されている。切換弁８ａは、取り付けが容易で、丈夫（robust）であり、製造公差に対して厳しくなく製造できる。更に、切換弁８ａは、コスト的に有利に製造できる。なぜなら、その製造は、単純な接合工程、例えばコーキング、によって実現され得て、ネジやロックリングなどの固定部品を必要としないからである。
【図面の簡単な説明】
【００３８】
【図１】制動中の流体リターダの制御系統図。
【図２】変速機の温度調節中の流体リターダの制御系統図。
【図３】リターダの温度調節中の流体リターダの制御系統図。
【図４】第２の実施の形態についての、図３に従う制御系統図の部分図。
【図５】何ら温度調節が実施されていない時の、流体リターダの制御系統図。
【図６】何ら温度調節が実施されていない時の、第２の実施の形態の流体リターダの制御系統図。
【図７】２つの切換ポジションを有する切換弁の公知の構造例を示す図。
【図８】３つの切換ポジションを有する本発明に従う切換弁の構造例を示す図。
【図１】
2009541128.tif 000003
【図２】
2009541128.tif 000004
【図３】
2009541128.tif 000005
【図４】
2009541128.tif 000006
【図５】
2009541128.tif 000007
【図６】
2009541128.tif 000008
【図７】
2009541128.tif 000009
【図８】
2009541128.tif 000010
【国際調査報告】
2009541128.tif 000011
2009541128.tif 000012
2009541128.tif 000013
2009541128.tif 000014
2009541128.tif 000015
2009541128.tif 000016